(57)【要約】【課題】印刷ヘッドが爪や指と干渉した場合にも、良好な印刷環境を提供することのできるネイルプリント装置、ネイルプリント方法及びプログラムを提供する。【解決手段】爪表面に印刷を行う印刷ヘッド４１と、各部を制御するプロセッサ３１と、を備え、プロセッサ３１は、印刷ヘッド４１による印刷動作が設定された条件を満たしているか否かを判断し、印刷ヘッド４１による印刷動作が設定された条件を満たしていると判断する場合には印刷動作を続行させ、印刷ヘッド４１による印刷動作が設定された条件を満たさないと判断する場合には印刷ヘッド４１が爪Ｔと干渉したことによるエラー状態が生じたものと判断し印刷動作とは異なるエラー対応処理を行わせる。【選択図】図１
2020058780.tif 000002
【特許請求の範囲】
【請求項１】
爪表面に印刷を行う印刷ヘッドと、
各部を制御するプロセッサと、
を備え、
前記プロセッサは、前記印刷ヘッドによる印刷動作が設定された条件を満たしているか否かを判断し、前記印刷ヘッドによる印刷動作が前記設定された条件を満たしていると判断する場合には前記印刷動作を続行させ、前記印刷ヘッドによる印刷動作が前記設定された条件を満たさないと判断する場合には前記印刷ヘッドが前記爪と干渉したことによるエラー状態が生じたものと判断し前記印刷動作とは異なるエラー対応処理を行わせるネイルプリント装置。
【請求項２】
前記印刷ヘッドの移動速度を検出する速度検出部をさらに備え、
前記プロセッサは、前記速度検出部が検出した前記印刷ヘッドの速度が設定された閾値以下となったことをもって、前記印刷ヘッドによる印刷動作が前記設定された条件を満たさないと判断する請求項１に記載のネイルプリント装置。
【請求項３】
前記印刷ヘッドの位置を検出する位置検出部をさらに備え、
前記プロセッサは、前記位置検出部が検出した前記印刷ヘッドの位置が所定時間内で変化がないことをもって、前記印刷ヘッドによる印刷動作が前記設定された条件を満たさないと判断する請求項１に記載のネイルプリント装置。
【請求項４】
前記爪表面を撮影して前記爪表面の画像を取得する撮像装置をさらに備え、
前記プロセッサは、前記撮像装置により取得された画像に異常があることもって、前記印刷ヘッドによる印刷動作が前記設定された条件を満たさないと判断する請求項１から請求項３のいずれか一項に記載のネイルプリント装置。
【請求項５】
前記印刷ヘッドを移動させる駆動モータをさらに備え、
前記プロセッサは、前記印刷ヘッドを少なくとも前記爪表面の上方を最初に移動させる際、第１移動速度で前記印刷ヘッドを移動するよう前記駆動モータを制御した後、前記設定された条件を満たしていると判断した場合、前記印刷ヘッドを前記第１移動速度より速い第２移動速度で移動するように前記駆動モータを制御する請求項１から請求項４のいずれか一項に記載のネイルプリント装置。
【請求項６】
前記印刷ヘッドは、複数回走査することによって前記爪表面に印刷を行うものであり、
前記プロセッサは、少なくとも１回目の走査の際に、前記第１移動速度で前記印刷ヘッドを移動させるように前記駆動モータを制御する請求項５に記載のネイルプリント装置。
【請求項７】
前記印刷ヘッドが複数回走査することによって前記爪表面に印刷を行う場合に、前記プロセッサは、前記印刷ヘッドの前記第２移動速度が徐々に速くなるように前記駆動モータを制御する請求項５に記載のネイルプリント装置。
【請求項８】
前記印刷ヘッドが複数回走査することによって前記爪表面に印刷を行う場合に、前記プロセッサは、前記印刷ヘッドの前記第２移動速度を一定速度になるように前記駆動モータを制御する請求項５に記載のネイルプリント装置。
【請求項９】
前記プロセッサは、前記爪表面と前記印刷ヘッドとが所定値以上近接する範囲を走査する際に、前記第１移動速度で前記印刷ヘッドを移動させるように前記駆動モータを制御する請求項５から請求項８のいずれか一項に記載のネイルプリント装置。
【請求項１０】
前記印刷ヘッドのインク吐出面をクリーニングするクリーニング部をさらに備え、
前記プロセッサは、前記印刷ヘッドによる印刷動作が前記設定された条件を満たさないと判断する場合に、前記エラー対応処理として前記クリーニング部による前記印刷ヘッドのクリーニング処理を行わせる請求項１から請求項９のいずれか一項に記載のネイルプリント装置。
【請求項１１】
前記クリーニング処理として、程度の異なる複数種類が用意されており、
前記プロセッサは、前記印刷ヘッドによる印刷動作が前記設定された条件を満たさないと判断したときの前記印刷ヘッドの状態に応じて前記クリーニング処理の種類を選択する請求項１０に記載のネイルプリント装置。
【請求項１２】
前記クリーニング部は、スピット処理を行うスピット部と、前記インク吐出面をワイプするワイプ処理を行うワイプ部とを含んでおり、
前記クリーニング処理は、前記スピット処理、前記ワイプ処理又はこれらの組合せである請求項１０又は請求項１１に記載のネイルプリント装置。
【請求項１３】
ネイルプリント装置のネイルプリント方法であり、
前記ネイルプリント装置は、爪表面に印刷を行う印刷ヘッドを備え、
前記印刷ヘッドによる印刷動作が設定された条件を満たしているか否かを判断する判断工程と、
前記判断工程において前記印刷ヘッドによる印刷動作が前記設定された条件を満たしていると判断する場合には前記印刷動作を続行させ、前記印刷ヘッドによる印刷動作が前記設定された条件を満たさないと判断する場合には前記印刷ヘッドが前記爪と干渉したことによるエラー状態が生じたものと判断し前記印刷動作とは異なるエラー対応処理を行わせる処理選択工程と、
を含んでいるネイルプリント方法。
【請求項１４】
爪表面に印刷を行う印刷ヘッドを備えるネイルプリント装置のコンピュータに、
前記印刷ヘッドによる印刷動作が設定された条件を満たしているか否かを判断する判断機能と、
前記判断機能によって前記印刷ヘッドによる印刷動作が前記設定された条件を満たしていると判断する場合には前記印刷動作を続行させ、前記印刷ヘッドによる印刷動作が前記設定された条件を満たさないと判断する場合には前記印刷ヘッドが前記爪と干渉したことによるエラー状態が生じたものと判断し前記印刷動作とは異なるエラー対応処理を行わせる処理選択機能と、
を実現させるプログラム。
【発明の詳細な説明】
【技術分野】
【０００１】
本発明は、ネイルプリント装置、ネイルプリント方法及びプログラムに関するものである。
【背景技術】
【０００２】
従来、指の爪等にネイルデザインの印刷を行う印刷装置（ネイルプリント装置）が知られている。
例えばインクジェット方式で印刷を行う場合、印刷ヘッドが爪の上方を移動しながらインクを吐出させることで印刷を行う。
この場合、印刷ヘッドと爪との距離が離れ過ぎているとインクが正しい位置に着弾できず、高精細な印刷を行うことができない。
このため、このようなプリント装置では、印刷時における印刷ヘッドと爪の表面との距離が数ｍｍ程度となる位置に印刷対象である爪（及びその爪に対応する指）をセット（固定）した状態で印刷が行われる。
【先行技術文献】
【特許文献】
【０００３】
【特許文献１】特表２００３−５３４０８３号公報
【発明の概要】
【発明が解決しようとする課題】
【０００４】
しかしながら、常に爪の位置が適切な位置にセットされるとは限らない。
前述のように、印刷ヘッドと爪との距離は数ｍｍ程度と近接しているため、指が多少浮いてしまうだけで印刷時に印刷ヘッドが爪や指に衝突してしまい、怪我や装置の故障等の原因となるおそれがある。
【０００５】
本発明は以上のような事情に鑑みてなされたものであり、印刷ヘッドが爪や指と干渉した場合にも、良好な印刷環境を提供することのできるネイルプリント装置、ネイルプリント方法及びプログラムを提供することを利点とするものである。
【課題を解決するための手段】
【０００６】
前記課題を解決するために、本発明のネイルプリント装置は、
爪表面に印刷を行う印刷ヘッドと、
各部を制御するプロセッサと、
を備え、
前記プロセッサは、前記印刷ヘッドによる印刷動作が設定された条件を満たしているか否かを判断し、前記印刷ヘッドによる印刷動作が前記設定された条件を満たしていると判断する場合には前記印刷動作を続行させ、前記印刷ヘッドによる印刷動作が前記設定された条件を満たさないと判断する場合には前記印刷ヘッドが前記爪と干渉したことによるエラー状態が生じたものと判断し前記印刷動作とは異なるエラー対応処理を行わせることを特徴としている。
【発明の効果】
【０００７】
本発明によれば、印刷ヘッドが爪や指と干渉した場合にも、良好な印刷環境を提供することができる効果を奏する。
【図面の簡単な説明】
【０００８】
【図１】本実施形態におけるネイルプリント装置及び端末装置の概略構成を示す図である。
【図２】本実施形態におけるネイルプリント装置及び端末装置の制御構成を示した要部ブロック図である。
【図３】ネイルプリント装置の仕切り板上の各部の配置を模式的に示した平面図である。
【図４】指載置部に載置された印刷指及び爪と印刷ヘッドとの位置関係を示す模式図である。
【図５】指載置部に載置された印刷指及び爪と印刷ヘッドとの位置関係を示す模式図である。
【図６】本実施形態におけるエンコーダの構成を示す模式図である。
【図７】本実施形態におけるフィードバック制御の概要を表すブロック線図である。
【図８】（ａ）は、１走査目の印刷を示す爪の平面図であり、（ｂ）は、２走査目の印刷を示す爪の平面図であり、（ｃ）は、３走査目の印刷を示す爪の平面図である。
【図９】本実施形態に係るネイルプリント処理を示すフローチャートである。
【図１０】（ａ）及び（ｂ）は、クリーニング処理の具体的な内容の一例を示すフローチャートである。
【図１１】印刷ヘッドを駆動させたときの速度特性を示すグラフである。
【図１２】指載置部に載置された印刷指及び爪と撮影部との位置関係を示す模式図である。
【図１３】（ａ）は、走査前の状態を示す爪の平面図であり、（ｂ）は、１走査目終了時の異常状態を示す爪の平面図であり、（ｃ）は、１走査目終了時の正常状態を示す爪の平面図である。
【発明を実施するための形態】
【０００９】
図１から図１０（ａ）及び図１０（ｂ）を参照しつつ、本発明に係るネイルプリント装置、ネイルプリント方法及びプログラムの一実施形態について説明する。
なお、以下に述べる実施形態には、本発明を実施するために技術的に好ましい種々の限定が付されているが、本発明の範囲を以下の実施形態及び図示例に限定するものではない。
また、以下の実施形態では、ネイルプリント装置が手の指の爪を印刷対象としてこれに印刷するネイルプリント装置を例に説明するが、本発明におけるネイルプリント装置の印刷対象は手の指の爪に限るものではなく、例えば足の指の爪等を印刷対象としてもよい。
【００１０】
図１は、本実施形態におけるネイルプリント装置の外観を示す斜視図である。本実施形態では、ネイルプリント装置１が端末装置７と連携して印刷システムを構成し、爪Ｔに印刷を行う場合を例示する。
端末装置７は、例えばスマートフォン等の携帯端末装置である。なお、端末装置７はスマートフォンに限定されない。例えばタブレット型のパーソナルコンピュータ（以下において「ＰＣ」とする。）やノート型のＰＣ、据置型のＰＣ、ゲーム用の端末装置等であってもよい。
図１及び図２に示すように、本実施形態の端末装置７は、操作部７１、表示部７２、通信部７４、制御装置８０等を備えている。
【００１１】
操作部７１は、ユーザの操作に応じて各種の入力・設定等を行うことができるようになっており、操作部７１が操作されると、当該操作に対応する入力信号が制御部８１に送信される。なお、本実施形態では表示部７２の表面にタッチパネルが一体的に設けられており、ユーザはタッチパネルへのタッチ操作によっても各種の入力・設定等の操作を行うことができるようになっている。
表示部７２に構成されているタッチパネルは、後述する表示制御部８１２の制御にしたがって各種の表示画面を表示させる。
なお、各種の入力・設定等の操作を行う操作部７１はタッチパネルである場合に限定されない。例えば各種の操作ボタンやキーボード、ポインティングデバイス等が操作部７１として設けられていてもよい。
【００１２】
本実施形態では、ユーザが操作部７１を操作することで、端末装置７からネイルプリント装置１に対して印刷開始等の各種指示が出力されるようになっており、端末装置７はネイルプリント装置１の操作部としても機能する。
また、ユーザが操作部７１を操作することで、爪Ｔに印刷するネイルデザインを選択すること等ができるようになっている。
【００１３】
表示部７２は、例えば液晶ディスプレイ（ＬＣＤ：Liquid Crystal Display）、有機エレクトロルミネッセンスディスプレイその他のフラットディスプレイ等で構成されている。
なお、表示部７２の表面に各種の入力を行うためのタッチパネルが一体的に構成されていてもよい。この場合には、タッチパネルが操作部７１として機能する。
【００１４】
本実施形態では、ユーザが操作部７１から入力・選択したネイルデザインや、各種の案内画面、警告表示画面等が表示部７２に表示可能となっている。
また、本実施形態において表示部７２は、ネイルプリント装置１の各部の動作状態をユーザに報知する報知手段としても機能する。
例えば、報知手段としての表示部７２は、ネイルプリント装置１の移動体である印刷ヘッド４１の位置が所定時間内で変化がない場合等、「印刷ヘッド４１による印刷動作が設定された条件を満たさない」状態となったときに、その旨を表示画面に表示させてユーザに報知する。
【００１５】
通信部７４は、ネイルプリント装置１に対して印刷用データを送信することが可能となっている。また、ネイルプリント装置１から爪画像や後述する爪情報等が送信されたときには、通信部７４はこれを受信する。通信部７４は、ネイルプリント装置１の通信部１４との間で通信可能な無線通信モジュール等を備えている。
ネイルプリント装置１と端末装置７との間での通信は、インターネット等のネットワーク回線を使うものであってもよいし、例えばBluetooth（登録商標）やWi-Fi等の近距離無線通信規格に基づく無線通信を行うものであってもよい。ネットワークを介して通信を行う場合、通信に用いるネットワークはどのような回線を利用するものでもよい。また、ネイルプリント装置１と端末装置７との間の通信は無線に限定されず、有線接続により両者間で各種データの送受信が可能な構成としてもよい。
なお、通信部７４は、ネイルプリント装置１との間で通信を行うことのできるものであればよく、ネイルプリント装置１の通信部１４の通信規格と合致するものが適用される。
【００１６】
図２に示すように、本実施形態の端末装置７の制御装置８０は、ＣＰＵ（Central Processing Unit）等のプロセッサ８１と、ＲＯＭ（Read Only Memory）及びＲＡＭ（Random Access Memory）等で構成される記憶部８２とを備えるコンピュータである。
記憶部８２を構成するＲＯＭとしては、例えばＮＡＮＤ ＦＬＡＳＨメモリ等の不揮発性記憶素子のフラッシュメモリを適用することができる。また、ＲＡＭとしては例えばＤＤＲ等のメモリチップを適用することができる。
【００１７】
記憶部８２には、端末装置７の各部を動作させるための各種プログラムや各種データ等が格納されている。
具体的には、本実施形態のＲＯＭ等には、端末装置７の各部を統括制御するための動作プログラム８２１ａの他、ネイルプリント装置１を用いたネイルプリントを行うためのネイルプリントアプリケーションプログラム８２１ｂ（以下「ネイルプリントＡＰ」とする。）等の各種プログラムが格納されており、制御装置８０がこれらのプログラムを例えばＲＡＭの作業領域に展開して実行することによって、端末装置７が制御されるようになっている。すなわち、制御装置８０のプロセッサ（ＣＰＵ）８１がこれらのプログラムを例えばＲＡＭの作業領域に展開して実行することによって、端末装置７が制御されるようになっている。
また、本実施形態の記憶部８２には、ネイルデザインのデータを格納するデザイン記憶領域８２２、ネイルプリント装置１から爪Ｔの画像（爪画像）や爪Ｔの位置・範囲の情報（爪情報）等が送られた場合にこれらを格納する爪情報記憶領域８２３等が設けられている。
なお、デザイン記憶領域８２２に格納されるネイルデザインは、予め用意された既存のデザインであってもよいし、ユーザが自ら作成したデザインであってもよい。
【００１８】
端末装置７のプロセッサ８１は、機能的に見た場合、通信制御部８１１、表示制御部８１２、印刷データ生成部８１３等として機能する。これら通信制御部８１１、表示制御部８１２、印刷データ生成部８１３等としての機能は、プロセッサ８１と記憶部８２のＲＯＭに記憶されたプログラムとの協働によって実現される。つまり、ＣＰＵ等のプロセッサ８１が記憶部８２のＲＯＭ（本実施形態では、プログラム記憶領域８２１）に記憶された上述の機能に対応するプログラムを、例えば記憶部８２のＲＡＭの作業領域に展開して実行することによって実現される。なお、端末装置７のプロセッサ８１が備える機能はこれに限定されず、その他各種の機能を備えていてもよい。
【００１９】
プロセッサ８１の通信制御部８１１としての機能は、通信部７４の動作を制御するものである。本実施形態では、ネイルプリント装置１との間での通信を制御し、ネイルプリント装置１に対して印刷用データ等を送信する。なお、ネイルプリント装置１側から爪画像や爪情報のデータ等が送信された場合には、通信制御部８１１は通信部７４を制御して、これを受信させる。
【００２０】
プロセッサ８１の表示制御部８１２としての機能は、表示部７２を制御して表示部７２に各種の表示画面を表示させるものである。
本実施形態では、表示制御部８１２は、例えばユーザに爪Ｔに印刷したいネイルデザインを選択するよう促すデザイン選択画面を表示部７２に表示させる。デザイン選択画面を表示させる場合、表示制御部８１２はデザイン記憶領域８２２に記憶されているネイルデザインを順次又は一覧に表示部７２に表示させることが好ましい。
さらに、表示制御部８１２は、爪Ｔの画像に、ユーザが選択したネイルデザインを重畳した画像を表示部７２に表示させて、実際の印刷開始前に仕上がりイメージをユーザが確認できるようにし、気に入らない場合にはネイルデザインを選び直すことができるようにしてもよい。
【００２１】
また、本実施形態では、ネイルプリント装置１の移動体である印刷ヘッド４１の位置が所定時間内で変化がない場合等、「印刷ヘッド４１による印刷動作が設定された条件を満たさない」状態となったときに、表示制御部８１２は、その旨を表示画面に表示させてユーザに報知する。
このとき表示制御部８１２は、例えば、「印刷を停止します。」「指の位置を確認してください。」「指を正しい位置に置き直してください。」等のメッセージや指示を表示部７２の表示画面に表示させてもよい。
その他、表示制御部８１２は、ユーザに対するメッセージや各種指示等を表示部７２に表示させてもよい。
【００２２】
プロセッサ８１の印刷データ生成部８１３としての機能は、ネイルプリント装置１の爪情報検出部３１３による検出結果から印刷部４０による印刷領域を設定し、印刷用データを生成するものである。
本実施形態では、ネイルプリント装置１の撮影部５０において、印刷対象である爪Ｔが撮影され、当該爪画像について爪情報検出部３１３によって爪Ｔの輪郭等の爪情報が検出される。爪情報検出部３１３による検出結果は、通信部１４，７４を介して端末装置７に送られるようになっており、印刷データ生成部８１３は、この検出結果に基づいて印刷部４０による印刷領域（爪領域）を設定し、印刷用データを生成する。
【００２３】
具体的には、印刷データ生成部８１３は、この爪領域の形状（爪Ｔの輪郭形状）に合わせて印刷対象であるユーザによって選択されたネイルデザインの画像データを切り抜き、適宜拡大縮小等を行い、印刷用データを生成する。
なお、爪情報検出部３１３において当該複数の画像から爪Ｔの曲率等を求めた場合には、印刷データ生成部８１３は、この爪Ｔの曲率等に基づいて、印刷用データに曲面補正を行ってもよい。曲面補正を行った場合には、より爪Ｔの形状に合った印刷用データを生成することができる。
印刷データ生成部８１３により生成された印刷用データは、通信部１４，７４を介してネイルプリント装置１に送信される。
【００２４】
本実施形態において、ネイルプリント装置１は、図１に示すように、ほぼ箱形に形成された筐体１１を有している。
筐体１１の上面（天板）には操作部１２が設置されている。
操作部１２は、ユーザが各種入力を行う操作部である。
操作部１２には、例えば、ネイルプリント装置１の電源をＯＮする電源スイッチ釦、動作を停止させる停止スイッチ釦、印刷開始を指示する印刷開始釦等、各種の入力を行うための操作釦が配置されている。
操作部１２が操作されると操作信号が制御装置３０に出力され、制御装置３０が操作信号に従った制御を行い、ネイルプリント装置１の各部を動作させる。
なお、操作部１２に代えて、端末装置７の操作部７１から入力された操作信号に従ってネイルプリント装置１の各部が動作するようにしてもよい。
【００２５】
また、筐体１１の上面（天板）には、報知用ランプ１３が設けられている。
本実施形態において、報知用ランプ１３は、各部の動作状態をユーザに報知する報知手段である。
報知用ランプ１３は、例えば緑色のランプと赤色のランプとで構成されており、印刷準備が完了している段階では緑色のランプが点灯し、正常に印刷動作が行われている間は緑色のランプが点滅し、何らかの異常が生じると赤色のランプが点灯又は点滅するようになっており、その点灯状態によって、各部の動作状態をユーザに知らせることができるようになっている。
特に本実施形態では、報知用ランプ１３は、検出部である印刷部４０のエンコーダ４０１が検出した移動体である印刷ヘッド４１の位置に所定時間内で変化がない場合やエンコーダ４０１の検出結果に基づいて印刷ヘッド４１の速度が所定閾値以下となった場合等、「印刷ヘッド４１による印刷動作が設定された条件を満たさない」状態となったときに、赤色のランプが点灯又は点滅することで、異常の発生を報知する報知手段として機能する。
【００２６】
また、ネイルプリント装置１は通信部１４（図２参照）を備えている。通信部１４は、端末装置７との間で情報の送受信が可能に構成されたものである。
ネイルプリント装置１と端末装置７との間での通信は、例えば無線ＬＡＮ等により行われる。なお、ネイルプリント装置１と端末装置７との間での通信はこれに限定されず、いかなる方式によるものでもよい。通信部１４は端末装置７の通信方式に対応するアンテナチップ等を備えている。
通信部１４は、後述する制御装置３０の通信制御部３１１（図２参照）に接続され、該通信制御部３１１によって制御される。
【００２７】
さらに、筐体１１の前面側（図１において手前側）には、ネイルプリント装置１による印刷時に指を挿入する開口部である指挿入口１５が形成されている。
指挿入口１５の内部は、印刷時に挿入された印刷指Ｕ１等の指を受け入れる空間である指受入部２０となっている。ここで印刷指Ｕ１とは、印刷部４０による印刷対象となる爪Ｔに対応する指である。
指挿入口１５内は、仕切り板１６によって上下に仕切られている。
【００２８】
図３は、仕切り板の上側面を上方から見た模式的な平面図である。
図３に示すように、仕切り板１６の上側であって装置のＸ方向（図１及び図３等におけるＸ方向、ネイルプリント装置１の左右方向）のほぼ中央部には、印刷指Ｕ１を載置する指載置部２が設けられている。
【００２９】
図４及び図５は、印刷指Ｕ１が指受入部２０内に挿入されて指載置部２に載置されている状態を側面から見た要部断面図である。
指載置部２の下側、すなわち、仕切り板１６の上は、載置された指の腹を受ける指支持部２１となっている。
指支持部２１は、印刷指Ｕ１を下側から押し上げ支持するものであり、例えば柔軟性を有する樹脂等で形成されている。なお、指支持部２１は、印刷指Ｕ１を下側から支持し得るものであればよく、その構成は特に限定されない。例えば、ばね等の弾性部材によって下方から付勢されていてもよい。また、例えば、指支持部２１は、内圧を変化させることにより膨縮可能に構成されており、膨張状態において印刷指Ｕ１を押し上げ、その位置を固定する構成としてもよい。
【００３０】
指載置部２の天面奥側は上側に開口する窓部２３となっている。窓部２３からは指載置部２内に挿入された印刷指Ｕ１の爪Ｔが露出するようになっている。
また、指載置部２の天面手前側は印刷指Ｕ１の上方向の位置を規制する指押え２４となっている。
さらに、指載置部２の内部であって印刷指挿入方向の奥側には、印刷指Ｕ１の爪Ｔを載置する爪載置部２５が設けられている。なお、爪載置部２５は爪Ｔの先を位置することができるものであればよく、その形状や配置等は図示例に限定されない。
印刷指Ｕ１及びその爪Ｔは、図４に示すように、爪Ｔの先を爪載置部２５に載置した状態で下側から指支持部２１によって支持され、印刷指Ｕ１の上側が指押え２４によって押さえられることで所定の位置に位置決めされる。
【００３１】
また、図３に示すように、仕切り板１６の上側であって指載置部２の側部には、非印刷時において印刷ヘッド４１下面のインク吐出面４１１（図４〜図６参照、後述）を覆うキャップ機構６（図３参照）が設けられている。印刷ヘッド４１のインク吐出面４１１をキャップ機構６によってキャッピングすることで、インク吐出面４１１（及びノズル）を乾燥等から保護し、印刷に適した状態を維持することができる。
本実施形態では、装置におけるＸ方向右側にキャップ機構６が設けられている場合を例示している。なお、キャップ機構６は、ヘッド移動機構４９により印刷ヘッド４１が移動可能な範囲内に配置されればよく、例えば装置におけるＸ方向左側に配置されていてもよい。
【００３２】
また、仕切り板１６の上側における指載置部２の側部であってキャップ機構６の逆側には、印刷ヘッド４１のインク吐出面４１１をクリーニングするクリーニング部９が設けられている。
本実施形態では、装置におけるＸ方向左側にクリーニング部９が設けられている場合を例示している。なお、クリーニング部９は、ヘッド移動機構４９により印刷ヘッド４１が移動可能な範囲内に配置されればよく、例えば装置におけるＸ方向右側であってもよい。
【００３３】
本実施形態において、クリーニング部９は、スピット処理を行うスピット部９１と、インク吐出面４１１をワイプするワイプ処理を行うワイプ部９２とを含んでいる。本実施形態のクリーニング部９で行われるクリーニング処理は、スピット処理、ワイプ処理又はこれらの組合せである。クリーニング処理として具体的にどのような内容の処理を行うかは適宜制御装置３０のプロセッサ３１が選択する。なお、この点については後述する。
なお、クリーニング部９に含まれるものは、スピット部９１とワイプ部９２に限定されない。インク吐出面４１１をクリーニングする他の構成部が設けられていてもよい。
【００３４】
図３に示すように、本実施形態において、スピット部９１とワイプ部９２とは、装置の奥行方向（図３におけるＹ方向）に並んで設けられている。なお、スピット部９１及びワイプ部９２の具体的な配置は図示例に限定されず、例えば、スピット部９１とワイプ部９２とのＹ方向における位置が逆であってもよいし、スピット部９１とワイプ部９２とがＹ方向ではなくＸ方向にずれて配置されていてもよいし、Ｘ方向、Ｙ方向の両方にずれて配置されていてもよい。
【００３５】
スピット部９１は、印刷ヘッド４１のインク吐出面４１１に形成されているノズルの吐出口（図示せず）からインクを強制的に吐出させて、ノズル内等のインク流路内のエアや不純物、粘度の上がったインク等をインクとともに外部に排出させる、いわゆるスピット処理の際に、インク吐出面４１１から強制的に吐出されるインクを受けるものである。
スピット処理を行うことにより、印刷ヘッド４１のノズル内で生じた目詰まり等が解消され、良好な吐出状態に回復させることができる。
【００３６】
ワイプ部９２は、印刷ヘッド４１のインク吐出面４１１をワイプすることでクリーニングするものであり、複数のワイプ部材９２１（図３参照）が立設されたものである。本実施形態では、４つのワイプ部材９２１が千鳥状に位置をずらして配置されている。なお、ワイプ部材９２１の配置や大きさ、設ける数等は図示例に限定されない。
ワイプ部材９２１は、インク吐出面４１１に付着したインク等を拭き取るクリーニングブレードであり、例えばゴム等の弾性体によって形成されている。ワイプ部材９２１はインクに繰り返し触れても腐食等が発生しにくい耐腐食性の材料で形成されることが好ましい。
なお、ワイプ部材９２１又はワイプ部９２全体は、取り外して交換が可能な部品としてもよい。
【００３７】
ワイプ部材９２１は、ワイプ部９２を通過する際の印刷ヘッド４１の移動方向がＹ方向である場合、これと直交するＸ方向に扁平な板状部材であり、印刷ヘッド４１がワイプ部９２の上方を通る際に、その先端（上端）がインク吐出面４１１と接触する位置及び高さに形成されている。
そして、ワイプ部材９２１は、印刷ヘッド４１の移動に応じて柔軟に撓み、先端部分をインク吐出面４１１に摺接させることによって、インク吐出面４１１（インク吐出面４１１に設けられているノズルの吐出口）に付着したインク等を除去できるようになっている。
【００３８】
なお、印刷ヘッド４１のインク吐出面４１１をワイプすると、ワイプ部材９２１の先端部等にはインクが付着する。
このため、本実施形態のクリーニング部９には、図３に示すように、ワイプ部材９２１に付着したインクを除去するスクレイプ部９３が設けられている。
スクレイプ部９３は、ワイプ部材９２１に対向する側の面に、ワイプ部材９２１に摺接してその先端部等に付着したインクを掻き落とすスクレイプ部材９３１を備えている。なお、スクレイプ部材９３１の材料、形状等は特に限定されず、ワイプ部材９２１に付着したインクを除去できるものであればよい。
【００３９】
また、筐体１１の内部には、印刷指Ｕ１の爪Ｔ（爪Ｔの表面）に印刷を施す印刷部４０と、爪Ｔを含む印刷指Ｕ１の画像を取得する撮影部５０等が設けられている。
撮影部５０（図２参照）は、撮像装置５１と、照明装置５２とを備えている。
撮影部５０は、指載置部２に載置された印刷指Ｕ１の爪Ｔを照明装置５２によって照明する。そして、撮像装置５１によってその印刷指Ｕ１を撮影して、印刷指Ｕ１の爪Ｔの画像である爪画像（爪画像を含む指の画像）を得るものである。
撮影部５０は、指載置部２に載置された印刷指Ｕ１を撮影可能な位置に設けられていればよく、具体的な配置は特に限定されない。本実施形態では、撮像装置５１及び照明装置５２は、筐体１１の天面内側であって指載置部２に載置された印刷指Ｕ１の爪Ｔ（爪Ｔの表面）と対向可能な位置に固定配置されている。
なお、撮影部５０は、印刷ヘッド４１を移動させるヘッド移動機構４９によってＸＹ方向に移動可能に構成されていてもよい。
【００４０】
撮像装置５１は、例えば、２００万画素程度以上の画素を有する固体撮像素子とレンズ等を備えて構成された小型カメラである。また、照明装置５２は、例えば白色ＬＥＤ等の照明灯である。
撮影部５０は、撮像装置５１により爪Ｔを撮影して爪画像（印刷指Ｕ１を含む爪Ｔの画像）を取得する。撮影部５０によって取得された爪画像は、通信部を介して端末装置７に送られる。
この撮影部５０は、後述する制御装置３０の撮影制御部３１２（図２参照）に接続され、該撮影制御部３１２によって制御されるようになっている。
なお、撮影部５０によって撮影された画像の画像データは、後述する記憶部３２に記憶されてもよい。
【００４１】
印刷部４０は、爪Ｔの上（すなわち、爪表面の上方）を移動しながら爪表面に印刷を行う移動体である印刷ヘッド４１と、印刷ヘッド４１をＸ方向（図１等におけるＸ方向、ネイルプリント装置１の左右方向）、Ｙ方向（図１等におけるＹ方向、ネイルプリント装置１の前後方向）に移動させるためのヘッド移動機構４９（図２参照）等を備えている。
印刷ヘッド４１は、印刷ヘッド４１をＸ方向に移動させるためのＸ方向移動ステージ、印刷ヘッド４１をＹ方向に移動させるためのＹ方向移動ステージに支持されており、ヘッド移動機構４９は、印刷ヘッド４１をＸ方向及びＹ方向に適宜移動させるための駆動モータとしてのＸ方向移動モータ４６とＹ方向移動モータ４８等で構成されている。
【００４２】
駆動モータ（Ｘ方向移動モータ４６とＹ方向移動モータ４８）は、例えばブラシ付きのＤＣモータ等である。なお、駆動モータはこれに限定されず、他の構成のものも適用可能である。
本実施形態において、駆動モータとしてのＸ方向移動モータ４６とＹ方向移動モータ４８は、移動体としての印刷ヘッド４１の移動速度を複数段階に切り替え可能に構成されている。
なお、印刷ヘッド４１は図示しないキャリッジに搭載された状態でＸ方向移動ステージおよびＹ方向移動ステージに支持されて爪表面の上方を移動するものであり、「移動体」としたときには、印刷ヘッド４１とキャリッジ等、爪表面の上方を移動するものを広く含むものとしてもよい。
【００４３】
本実施形態の印刷ヘッド４１は、爪表面に対向する面がインクを吐出させる複数のノズルの吐出口（図示せず）を備えたインク吐出面４１１となっており、インクを微滴化し、インク吐出面４１１から印刷対象（爪Ｔ）の被印刷面である爪表面に対して直接にインクを吹き付けて印刷を行うインクジェット方式のインクジェットヘッドである。印刷ヘッド４１は、例えば、イエロー（Ｙ；YELLOW）、マゼンタ（Ｍ；MAGENTA）、シアン（Ｃ；CYAN）のインクを吐出可能となっている。
なお、印刷ヘッド４１のインク吐出面４１１から吐出されるインクは微細な液滴であるため、印刷ヘッド４１と爪Ｔの表面との距離が離れ過ぎているとインクが正しい位置に着弾できず、高精細な印刷を行うことができない。このため、印刷ヘッド４１による印刷は、爪表面に対向するインク吐出面４１１が爪表面の上方数ｍｍ程度に位置した状態で行われることが好ましい。
【００４４】
さらに、本実施形態の印刷部４０には、移動体としての印刷ヘッド４１の位置を検出する検出部として、エンコーダ４０１（図２参照）が設けられている。
図６は、本実施形態におけるエンコーダの構成を示す模式図である。なお、図６では、印刷ヘッド４１のＸ方向における位置を検出するためのＸ方向のエンコーダ４０１の例を図示している。
なお、図６のＳＰの記号が重畳している線分は、後述するエンコーダ４０１のスリット間距離と印刷ヘッド４１がその距離を通過するのに掛かった時間とから速度を計測することをわかりやすく説明するために、エンコーダのスリット間距離を簡易的に拡大表現した図面である。また、その下に記載されているＤＰの記号が重畳している線分は、後述する駆動モータのフィードバック制御間隔を説明するのに用いる図面である。
【００４５】
エンコーダ４０１は、例えば、対向する発光部と受光部（いずれも図示せず）を有し、発光部からの光を物体が遮るのを受光部で検出することによって、物体の位置等を判定するフォトインタラプタ等で構成されるセンサである。
本実施形態において移動体である印刷ヘッド４１等には、図６に示すように、複数のスリットが等間隔で形成されたスリット板４０１ａが取り付けられている。スリットは、印刷等によって光を透過する透過部と光を透過させない非透過部とがスリット板４０１ａの延在方向に交互に形成されたものである。
エンコーダ４０１は、このスリット板４０１ａのスリットを読み取り、検出結果を印刷制御部３１４として機能するプロセッサ３１（後述）に出力する。プロセッサ３１（印刷制御部３１４）は、エンコーダ４０１による検出結果に基づいて移動体である印刷ヘッド４１等の移動量（移動距離）を検出する。
【００４６】
すなわち、エンコーダ４０１は、スリット板４０１ａに形成されたスリット（透過部・非透過部）の通過回数をカウントする。このカウント結果からプロセッサ３１（印刷制御部３１４）は、印刷ヘッド４１が現在どの位置にいるかを把握することができる。このように、本実施形態のエンコーダ４０１は、位置検出部として機能する。
また、スリット幅は均一（ほぼ均一）であることから、直前にスリット（透過部又は非透過部）を通過したタイミングから今回通過したタイミングまでの時間（すなわち、図６においてスリット１ライン分であるＳＰ間の距離（単位距離）を移動するのに要した時間）を計測することで印刷ヘッド４１の移動速度（印刷ヘッド４１がどの程度の速度で駆動しているかの駆動モータの駆動速度）を把握することができる。このように、本実施形態のエンコーダ４０１は、速度検出部としても機能する。
なお、ここで「速度」とは、単位時間あたりの移動量（印刷ヘッド４１の移動距離）でもよいし、単位距離（ここでは例えばエンコーダ４０１のスリット１ライン分の距離）あたりの移動時間でもよい。
印刷ヘッド４１から吐出されるインクを狙った位置に着弾させるためには、印刷ヘッド４１を等速で駆動させることが重要である。このため、出力情報（ここでは印刷ヘッド４１を移動させる駆動モータ（Ｘ方向移動モータ４６）の駆動速度の情報）に基づいて入力値（ここでは駆動モータにかける電圧のＤｕｔｙ比）を決定するフィードバック制御を用いて駆動モータの制御を行う。
【００４７】
具体的には、目標とする駆動速度と、現在の駆動速度との差分に基づいて駆動モータにかける電圧のＤｕｔｙ比（入力値）を算出する。
図７は、本実施形態におけるフィードバック制御の概要を表すブロック線図である。
図７では、フィードバック制御として、例えば出力値（ここでは駆動モータの駆動速度）と目標値との偏差、その積分、及び微分の３つの要素によって入力値（ここでは駆動モータ（Ｘ方向移動モータ４６）にかける電圧のＤｕｔｙ比）の制御を行うＰＩＤ制御（Proportional-Integral-Differential Controller）を用いる場合を図示している。
なお、図中「ｐ」は比例要素（Ｐゲイン、P＝Proportional）を表し、「ｉ」は積分要素（Ｉゲイン、Ｉ＝Integral）を表し、「ｄ」は微分要素（Ｄゲイン、Ｄ＝Derivative）を表す。なお、ここに示すフィードバック制御は、一例であり、駆動モータ（Ｘ方向移動モータ４６）にかける電圧のＤｕｔｙ比（入力値）を得るための手法はＰＩＤ制御に限定されない。
【００４８】
駆動モータ（Ｘ方向移動モータ４６）の駆動速度を算出するタイミングを「ＤＰ」としたとき、次に駆動モータ（Ｘ方向移動モータ４６）に入力する電圧のＤｕｔｙ比（入力値）を算出するフィードバック算出間隔（駆動速度を算出し次に駆動モータに入力する電圧のＤｕｔｙ比を算出する間隔、図６においてＤＰ間の間隔）は特に限定されないが、例えば１ｍｓ間隔である。
なお、このフィードバック制御は、エンコーダ４０１のスリット板４０１ａを通過するタイミング（図６において「ＳＰ」）とは独立して処理されるものである。
【００４９】
印刷部４０における移動体としての印刷ヘッド４１、印刷ヘッド４１を駆動させる駆動モータとしてのＸ方向移動モータ４６及びＹ方向移動モータ４８、エンコーダ４０１は、後述する制御装置３０の印刷制御部３１４（図２参照）に接続され、該印刷制御部３１４によって制御される。
【００５０】
制御装置３０は、例えば筐体１１天面の下面側等に配置された図示しない基板等に設置されている。
制御装置３０は、図２に示すように、ＣＰＵ（Central Processing Unit）等のプロセッサ３１（制御部）と、ＲＯＭ（Read Only Memory）３２１及びＲＡＭ（Random Access Memory）３２２等で構成される記憶部３２とを備えるコンピュータである。
【００５１】
記憶部３２には、ネイルプリント装置１を動作させるための各種プログラムや各種データ等が格納されている。
具体的には、記憶部３２のＲＯＭ３２１には、印刷処理を行うための印刷プログラム等の各種プログラムが格納されており、これらのプログラムが制御装置３０によって実行されることによって、ネイルプリント装置１の各部が統括制御されるようになっている。すなわち、制御装置３０のプロセッサ（ＣＰＵ）３１がこれらのプログラムを例えばＲＡＭ３２２の作業領域に展開して実行することによって、ネイルプリント装置１の各部が統括制御されるようになっている。
【００５２】
プロセッサ３１は、機能的に見た場合、通信制御部３１１、撮影制御部３１２、爪情報検出部３１３、印刷制御部３１４、ランプ制御部３１５等として機能する。これら通信制御部３１１、撮影制御部３１２、爪情報検出部３１３、印刷制御部３１４、ランプ制御部３１５等としての機能は、ＣＰＵ等のプロセッサ３１と記憶部３２のＲＯＭ３２１に記憶されたプログラムとの協働によって実現される。
つまり、ＣＰＵ等のプロセッサ３１が記憶部３２のＲＯＭ３２１に記憶された上述の機能に対応するプログラムを、例えば記憶部３２のＲＡＭ３２２の作業領域に展開して実行することによって実現される。なお、プロセッサ３１が備える機能はこれに限定されず、その他各種の機能を備えていてもよい。
【００５３】
プロセッサ３１の通信制御部３１１としての機能は、通信部１４の動作を制御するものである。本実施形態では、端末装置７との間での通信を制御し、端末装置７から印刷用データ等が送信された場合にこれを受信する。
また、撮影部５０によって爪画像が取得されたときは、爪画像データを端末装置７に送信してもよい。
また、後述する爪情報検出部３１３により爪情報が検出されると、これを端末装置７側に送信する。
なお、ネイルプリント装置１側で印刷中や印刷前後にトラブル等が発生した場合等、動作状況に異変が生じた場合には、その旨を端末装置７側に送信する。本実施形態では、印刷ヘッド４１の位置が所定時間内で変化がないことをエンコーダ４０１が検出した場合には、通信制御部３１１は、印刷ヘッド４１と爪Ｔとが干渉（例えば爪Ｔ等との衝突）したものとして、通信部１４を介してその旨を端末装置７側に送信する。
【００５４】
プロセッサ３１の撮影制御部３１２としての機能は、撮影部５０の撮像装置５１及び照明装置５２を制御して撮像装置５１により、指載置部２に載置された印刷指Ｕ１の爪Ｔの画像を含む指の画像（以下「爪画像」という。）を撮影させるものである。
撮影部５０により取得された爪画像の画像データは、通信部１４を介して端末装置７に送信される。なお、画像データは記憶部３２に記憶されてもよい。
【００５５】
プロセッサ３１の爪情報検出部３１３としての機能は、撮像装置５１によって撮影された指載置部２に載置された印刷指Ｕ１の爪Ｔの画像に基づいて、印刷指Ｕ１の爪Ｔについての爪情報を検出するものである。
ここで、爪情報とは、例えば、爪Ｔの輪郭（爪形状、爪Ｔの水平位置のＸＹ座標等）、爪Ｔの表面の、ＸＹ平面に対する傾斜角度（爪Ｔの傾斜角度、爪曲率）等である。なお、撮像装置５１によって撮影された画像等から爪Ｔの高さ（爪Ｔの垂直方向の位置、以下「爪Ｔの垂直位置」又は単に「爪Ｔの位置」ともいう。）を取得できる場合には、爪Ｔの高さも爪情報に含まれる。
【００５６】
プロセッサ３１の印刷制御部３１４としての機能は、端末装置７から送信された印刷用データに基づいて印刷部４０に制御信号を出力し、爪Ｔに対してこの印刷用データにしたがった印刷を施すように印刷部４０のＸ方向移動モータ４６、Ｙ方向移動モータ４８、印刷ヘッド４１等を制御するものである。
印刷制御部３１４には、エンコーダ４０１からの印刷ヘッド４１の位置情報が送られており、印刷制御部３１４は、この位置情報等に基づいて、Ｘ方向移動モータ４６、Ｙ方向移動モータ４８、印刷ヘッド４１等を制御し、爪Ｔへの印刷を行わせる。
そして、本実施形態のプロセッサ３１は、印刷制御部３１４として、印刷ヘッド４１による印刷動作が設定された条件を満たしているか否かを判断し、印刷ヘッドによる印刷動作が設定された条件を満たしていると判断する場合には通常の処理（印刷処理）を続行させ、印刷ヘッドによる印刷動作が設定された条件を満たさないと判断する場合には印刷ヘッド４１が爪Ｔと干渉した（すなわち、衝突したり接触した）ことによるエラー状態が生じたものと判断し印刷動作とは異なるエラー対応処理に移行させる。エラー対応処理としては、まず駆動モータ（すなわち、Ｘ方向移動モータ４６、Ｙ方向移動モータ４８）を停止させ、印刷ヘッド４１による印刷動作（移動及びインク吐出）を停止させる。
【００５７】
また、本実施形態では、前述のように、ヘッド移動機構４９を構成する駆動モータであるＸ方向移動モータ４６、Ｙ方向移動モータ４８が移動体である印刷ヘッド４１の移動速度を複数段階に切り替えることができるように構成されている。印刷制御部３１４は、少なくとも爪表面の上方を最初に移動させる際には、印刷ヘッド４１を第１移動速度で移動させるように、Ｘ方向移動モータ４６、Ｙ方向移動モータ４８による印刷ヘッド４１の移動を制御するようになっている。
ここで「第１移動速度」とは、Ｘ方向移動モータ４６、Ｙ方向移動モータが切り替え可能な移動速度の内、仮に印刷ヘッド４１が印刷指Ｕ１や爪Ｔに衝突（干渉）してもユーザが大きな衝撃を感じにくく、印刷ヘッド４１等の装置各部が破損等しない程度の速度であり、後述する第２移動速度（例えば、１秒間に２０ｃｍ程度）よりも遅い速度であって、例えば第２移動速度の半分程度の速度であることが好ましい。
【００５８】
また、印刷制御部３１４には、位置検出部であるエンコーダ４０１からの印刷ヘッド４１の位置情報が送られるようになっている。エンコーダ４０１が検出した印刷ヘッド４１の位置が所定時間内に変化がない場合には、印刷ヘッド４１による印刷動作が設定された条件を満たしていない場合であるとして、印刷制御部３１４は、印刷ヘッド４１を停止させるように駆動モータであるＸ方向移動モータ４６、Ｙ方向移動モータ４８を制御する。
例えば、図４に示すように、爪Ｔが印刷に適した高さ位置となるように印刷指Ｕ１が指載置部２に載置されていれば、移動体である印刷ヘッド４１は爪Ｔに衝突（干渉）することなく、予め定められた一定の速度で爪Ｔの表面の上方を移動する。このように印刷ヘッド４１が所定の速度で移動している状態を「印刷ヘッド４１による印刷動作が設定された条件を満たしている」状態であるとする。
【００５９】
なお、ここで「所定の速度」とは、印刷モード等に応じた適切な速度として設定される印刷ヘッド４１の移動速度であり、必ずしも同一の速度ではない。すなわち、印刷制御部３１４は、ユーザの操作等により設定されたモード等に応じた適切な速度で印刷ヘッド４１を移動させるようになっている。例えば高精細に印刷を行うモードが設定されている場合であれば印刷ヘッド４１の移動速度は比較的低速となり、迅速に印刷するモードが設定されている場合であれば印刷ヘッド４１の移動速度は高精細なモードにおける速度よりも速い速度となる。
これに対して、図５に示すように、指載置部２において印刷指Ｕ１が浮き上がり、爪Ｔが印刷に適した高さ位置よりも上がっていると、爪Ｔの表面の上方を移動する移動体である印刷ヘッド４１が爪Ｔに衝突してしまい、動けなくなる。この場合、エンコーダ４０１の検出する印刷ヘッド４１の位置が変化しない状態となる。このように印刷ヘッド４１の位置が変化しない状態を「印刷ヘッド４１による印刷動作が設定された条件を満たさない」状態であるとする。
【００６０】
ここで、「所定時間」とは、１秒に満たない極短い時間（例えば、２００msec程度）であることが好ましい。２００msec程度の短時間でも印刷ヘッド４１が停止すれば、爪Ｔとの衝突（干渉）等、何らかの異常が発生したと判断することができ、印刷ヘッド４１を停止させる必要性がある。
所定時間内に印刷ヘッド４１の位置が変化しない場合、印刷制御部３１４は、単に印刷ヘッド４１を停止させるだけでもよいし、一旦停止させた後に、所定の待機位置等に印刷ヘッド４１を移動させて停止させるようにＸ方向移動モータ４６、Ｙ方向移動モータ４８を制御してもよい。
ここで、「所定時間内に印刷ヘッド４１の位置が変化しない場合、印刷制御部３１４は印刷ヘッド４１を停止させる」という制御を詳述すると、即ち、所定時間内に印刷ヘッド４１の位置が変化しない場合、例えば、印刷制御部３１４は移動モータの駆動トルクを、所定時間内に印刷ヘッド４１の位置が変化しないとされた時点よりも小さくし、印刷ヘッド４１が移動しようとする力を低下させた上で停止させているという制御を一例として提示する。
【００６１】
なお、印刷指Ｕ１が装置内に配置されたまま印刷ヘッド４１を移動させようとすると、印刷ヘッド４１が印刷指Ｕ１やその爪Ｔをさらに押圧したり爪Ｔの上に無理に乗り上がろうとして余計に擦れあったりするおそれがある。このため、「印刷ヘッド４１による印刷動作が設定された条件を満たさない」状態となったときには、印刷ヘッド４１を停止させた状態でユーザに印刷指Ｕ１を装置から取り出させ、所定の待機位置等に印刷ヘッド４１を移動させるのは、印刷指Ｕ１が取り出されてからとしてもよい。
【００６２】
なお、「爪表面の上方を最初に移動させる際」には印刷ヘッド４１からインクを吐出させずに、印刷指Ｕ１及び爪Ｔが適切な位置に載置され印刷ヘッド４１と干渉しないかどうかをチェックするためだけの移動としてもよいし、爪表面の上方を最初に移動する際にも印刷ヘッド４１からインクを吐出させて爪表面に印刷を行うようにしてもよい。
印刷前にチェックのためだけに印刷ヘッド４１を移動させる場合には、印刷指Ｕ１及び爪Ｔが印刷ヘッド４１と干渉する場合に、印刷前に位置調整をやり直すことができ、インクの無駄や、やり直す手間等を防ぐことができる。
【００６３】
他方で、爪表面の上方を最初に移動する際にも印刷ヘッド４１による印刷を行うとした場合には、チェックのためだけに要する時間をなくして、迅速に印刷動作を進めることができる。
この場合、例えば、移動体である印刷ヘッド４１が、複数回走査することによって爪表面に印刷を行うものである場合、印刷制御部３１４は、少なくともその１回目の走査の際に、第１移動速度で印刷ヘッド４１を移動させるようにＸ方向移動モータ４６、Ｙ方向移動モータ４８を制御する。
【００６４】
例えば、図８（ａ）から図８（ｃ）に示すように、１つの爪Ｔについて３回走査を行い、印刷を完了する場合、図８（ａ）に示す１回目の走査の際には、印刷制御部３１４は、印刷ヘッド４１を第１移動速度で移動させ、爪Ｔとの衝突等の異常（印刷指Ｕ１や爪Ｔとの干渉）が発生しなければ、移動速度を第２移動速度に切り替えて、そのまま図８（ｂ）に示す２回目の走査、図８（ｃ）に示す３回目の走査を行って、爪Ｔに対する印刷を完了させる。
図８（ａ）から図８（ｃ）では、移動体である印刷ヘッド４１の移動方向を太矢印で示し、印刷の終わった部分である印刷終了領域Ａｆを網掛けで示している。
なお、ここで「第２移動速度」とは一般的な印刷装置の印刷速度（例えば、１秒間に２０ｃｍ程度）を示す。なお、２回目の走査、３回目の走査の際の印刷ヘッド４１の移動速度は特に限定されず、例えば第１移動速度のまま印刷を行ってもよい。また、「第２移動速度」は１種類に限定されない。「第２移動速度」として複数種類の速度が容易されていてもよい。例えば、駆動モータであるＸ方向移動モータ４６、Ｙ方向移動モータ４８が３段階以上速度切り替えを行うことができる場合には、印刷制御部３１４は、２回目、３回目と段階的に印刷ヘッド４１の第２移動速度を速くするように駆動モータを制御してもよい。
【００６５】
なお、１つの爪Ｔについて何回の走査で印刷を完了させるかは適宜設定される事項であり、本実施形態に示した例に限定されない。
例えば、１回の走査で爪Ｔの表面全体に印刷を施すようにしてもよい。
この場合、爪表面の上方を最初に移動する際に印刷ヘッド４１による印刷を行う場合には、１回第１移動速度で印刷ヘッド４１を移動させながら印刷を行うことで、印刷ヘッド４１と爪Ｔとの干渉の有無のチェックと爪Ｔへの印刷とが同時に完了する。
また、爪表面の上方を最初に移動させる際に印刷ヘッド４１からインクを吐出させずに、印刷ヘッド４１と爪Ｔとが干渉しないかどうかをチェックするためだけの移動とする場合には、チェックのための移動と、印刷のための移動の２回の走査で爪Ｔへの印刷が完了する。
【００６６】
また本実施形態では、プロセッサ３１は、必要に応じて印刷ヘッド４１をクリーニング部９に移動させ、印刷ヘッド４１のインク吐出面４１１をクリーニングする印刷ヘッド４１のクリーニング処理（例えば、スピット部９１によるスピット処理やワイプ部９２によるワイプ処理）を行わせるようになっている。
クリーニング処理は、通常印刷を開始する際や、一連の印刷動作（例えば１つの爪Ｔについての印刷）が終了したときに行われる。
さらに本実施形態では、プロセッサ３１は、印刷ヘッド４１による印刷動作が設定された条件を満たさないと判断する場合に、エラー対応処理として駆動モータを停止させた後、さらにクリーニング部９において印刷ヘッド４１のクリーニング処理を行わせるようになっている。
クリーニング処理の具体的な内容は適宜設定されることが好ましい。この点については後述する。
【００６７】
プロセッサ３１のランプ制御部３１５としての機能は、報知用ランプ１３を制御して点灯状態を切り替えることで、装置各部の動作状態をユーザに知らせるものである。
本実施形態において、ランプ制御部３１５は、例えば印刷準備が完了している段階では報知用ランプ１３のうち緑色のランプを点灯させ、正常に印刷動作が行われている間は緑色のランプを点滅させ、何らかの異常が生じた場合（すなわち、「印刷ヘッド４１による印刷動作が設定された条件を満たさない」状態となったとき）には赤色のランプを点灯又は点滅させる。
特に本実施形態では、ランプ制御部３１５としてのプロセッサ３１は、エンコーダ４０１が検出した印刷ヘッド４１の位置が所定時間内で変化がない場合に、「印刷ヘッド４１による印刷動作が設定された条件を満たさない」状態となったと判断して、報知用ランプ１３のうち赤色のランプを点灯又は点滅させ、異常の発生をユーザに報知するようになっている。
【００６８】
次に、本実施形態のネイルプリント方法について説明する。
本実施形態のネイルプリント装置１を用いてネイルプリントを行う場合には、ユーザは、ネイルプリント装置１の操作部１２等を操作して電源を入れ起動させる。
また、端末装置７についても電源を入れて端末装置７の操作部７１からネイルプリント処理の実行を選択する。これによりネイルプリントＡＰ８２１ｂが起動する。
ネイルプリントＡＰ８２１ｂが起動すると、端末装置７の表示制御部８１２は表示部７２にネイルデザインの一覧と所望のデザインを選択するよう指示するメッセージ等を表示させる。次にユーザは、タッチパネル、その他の操作部７１を操作することで爪Ｔに印刷するネイルデザインを選択する。これにより、操作信号が制御装置８０に送られ、所望のネイルデザインが爪Ｔに印刷するデザインとして選択される。
【００６９】
次に、端末装置７の表示制御部８１２は表示部７２に、印刷したい爪Ｔ（及びその印刷指Ｕ１）をネイルプリント装置１の指載置部２に載置するよう指示する指示画面を表示させる。
指載置部２に印刷指Ｕ１が載置されると、印刷指Ｕ１が撮影部５０によって撮影され、爪画像が取得される。そして、爪情報検出部３１３としてのプロセッサ３１が撮影部５０によって取得された爪画像について画像処理を行うことにより爪Ｔの輪郭等の爪情報を検出する。
爪情報検出部３１３によって検出された爪情報は、通信部１４，７４を介して端末装置７に送られ、端末装置７の印刷データ生成部８１３はこの爪情報に基づいてネイルデザインのデータを印刷範囲である爪領域に合せ込み、適宜補正等を行って印刷用データを生成する。
印刷データ生成部８１３により生成された印刷用データは、端末装置７から通信部１４，７４を介してネイルプリント装置１に送信される。
【００７０】
図９に示すように、印刷用データを受信すると、ネイルプリント装置１の印刷制御部３１４としてのプロセッサ３１は、印刷用データを印刷部４０に出力し（ステップＳ１）、印刷処理プログラム等と協働して印刷処理を開始させる。
このとき、印刷制御部３１４は、まず、印刷ヘッド４１を所定の待機位置から印刷開始位置（複数回の走査で印刷を行う場合、１走査目の印刷部分に対応する位置。例えば、図８（ａ）に示す印刷ヘッド４１の位置）に移動させる（ステップＳ２）。
そして、印刷制御部３１４は、印刷ヘッド４１を第１移動速度で移動させるようにＸ方向移動モータ４６、Ｙ方向移動モータ４８による印刷ヘッド４１の移動を制御し、印刷ヘッド４１からインクを吐出させながら、１走査目の印刷を行わせる（ステップＳ３）。
なお、爪表面の上方を最初に移動させる際には印刷ヘッド４１からのインク吐出を行わないとする場合には、印刷ヘッド４１は必ずしも１走査目の印刷部分に対応する位置（すなわち、印刷開始位置）から移動を開始する必要はなく、爪表面のいずれかの部分の上方を移動可能な位置から移動を開始して印刷ヘッド４１と爪Ｔとの干渉の有無をチェックできればよい。
【００７１】
印刷制御部３１４としてのプロセッサ３１には、エンコーダ４０１から印刷ヘッド４１の位置情報が随時送られており、印刷制御部３１４は、印刷ヘッド４１の位置が正常に変化しているか否か（印刷ヘッド４１による印刷動作が設定された条件を満たしているか否か）を判断する（ステップＳ４）。
印刷ヘッド４１の位置が正常に変化している場合（ステップＳ４；ＹＥＳ）には、印刷制御部３１４は、印刷ヘッド４１による印刷動作が設定された条件を満たしていると判断し、１走査目が終了した後、印刷ヘッド４１を２走査目の印刷部分に対応する位置（例えば、図８（ｂ）に示す印刷ヘッド４１の位置）に移動させ（ステップＳ５）、引き続き、２走査目以降の印刷を行わせる（ステップＳ６）。
なお、２走査目以降の印刷の際には、爪表面の上方を最初に移動させる際（本実施形態では、１走査目の走査の際）の第１移動速度よりも速い第２移動速度（例えば、一般的な印刷装置の通常の印刷速度）で行うことが好ましい。
所定回数（例えば、図８（ａ）から図８（ｃ）に示す例では３回）の走査が終了（ステップＳ７）すると、当該爪Ｔについてネイルデザインの印刷が完了し、本実施形態における印刷処理が終了する。
【００７２】
他方、印刷ヘッド４１の位置が変化していない場合（ステップＳ４；ＮＯ）には、印刷制御部３１４は、印刷ヘッド４１による印刷動作が設定された条件を満たさないと判断し、エラー対応処理として直ちに印刷ヘッド４１を停止させるようにＸ方向移動モータ４６、Ｙ方向移動モータ４８を制御して（ステップＳ８）、印刷動作を中止する。なお、印刷ヘッド４１がインク吐出を行っている場合には、印刷制御部３１４は、インク吐出動作についても停止させる。
【００７３】
印刷ヘッド４１の印刷動作に異常が発生した場合（すなわち、動かなくなった、印刷動作を停止した等の場合）には、ランプ制御部３１５としてのプロセッサ３１が報知用ランプ１３のうち赤色のランプを点灯させ、ユーザに異常の発生（エラー）を報知する（ステップＳ９）。
また、異常が発生した旨を端末装置７に送信して、端末装置７側の表示部７２にエラーメッセージや、印刷指Ｕ１の載置し直しを求めるメッセージ等を表示させてもよい。
【００７４】
このようにすることで、印刷指Ｕ１や爪Ｔが適切に載置されておらず、移動体である印刷ヘッド４１と衝突してしまうような場合でも、ユーザの印刷指Ｕ１や爪Ｔに与える衝撃を最小限に抑え、安全にネイルプリントをやり直すことができる。
【００７５】
さらに、本実施形態のプロセッサ３１は、印刷動作がエラーとなった場合（すなわち、印刷ヘッド４１による印刷動作が設定された条件を満たさないと判断する場合）には、エラー対応処理として印刷ヘッド４１を停止させたのち、クリーニング部９において印刷ヘッド４１のクリーニング処理を行わせる（ステップＳ１０）。
これは、ユーザの爪Ｔに印刷ヘッド４１が接触したことによってインク吐出面４１１（印刷ヘッド４１のノズル）が汚れてしまうことに対する対処として、次に行われる印刷への悪影響を排除するために、印刷ヘッド４１による印刷動作が設定された条件を満たさないと判断した場合において印刷ヘッド４１のクリーニング処理を印刷ヘッドの停止に続いて行うようにしたものである。
【００７６】
なお、前述のように、印刷ヘッド４１をクリーニング部９に移動させる際には、印刷ヘッド４１がさらに印刷指Ｕ１や爪Ｔに干渉しないように、印刷指Ｕ１が装置外に取り出されてから移動を開始することが好ましい。
このため、例えば印刷動作がエラーとなった場合には、端末装置７の表示部７２に「指を抜いたらボタンを押してください」等のメッセージを表示させ、ユーザが印刷指Ｕ１を装置から抜き取り、端末装置７の操作部７１等を操作すると、当該入力操作があったことがプロセッサ３１に出力されるようにしてもよい。この場合、ユーザが印刷指Ｕ１を装置から抜き取った旨の情報をプロセッサ３１が取得するとクリーニング処理に移行する。
なお、印刷指Ｕ１が装置外に取り出されたことをプロセッサ３１が把握する手法はこれに限定されない。例えば撮影部５０によって装置内の画像を随時取得し、当該画像を解析して、装置内に印刷指Ｕ１があるか否かを検出してもよい。また、例えば、指載置部２内に印刷指Ｕ１の有無を検知するセンサ（例えば押圧センサ、タッチセンサ等）を設け、当該センサからの検出結果に基づいて装置内に印刷指Ｕ１があるか否かを検出してもよい。
【００７７】
クリーニング処理としては、程度の異なる複数種類が用意されていることが好ましい。
そして、例えば、プロセッサ３１が、印刷ヘッド４１による印刷動作が設定された条件を満たさないと判断したレベルに応じてクリーニング処理の種類を選択するようになっていることが好ましい。
例えば、本実施形態のクリーニング部９は、前述のようにスピット処理を行うスピット部９１と、インク吐出面４１１をワイプするワイプ処理を行うワイプ部９２とを含んでおり、クリーニング処理は、スピット処理、ワイプ処理又はこれらの組合せによって行われるようになっている。
【００７８】
図１０（ａ）及び図１０（ｂ）は、クリーニング処理の具体的な内容の一例を示すフローチャートである。
図１０（ａ）に示すシーケンスＡは、念入りにクリーニングを行いたい場合に実行するクリーニング処理の例であり、図１０（ｂ）に示すシーケンスＢは、印刷終了時等に通常行われるクリーニング処理の例である。
シーケンスＡの場合には、図１０（ａ）に示すように、印刷を開始するように端末装置７の操作部７１等から指示が入力されると（ステップＳ２１）、プロセッサ３１は、まず印刷ヘッド４１をスピット部９１に移動させ、ノズルから５００発の吐出動作を行わせる（ステップＳ２２）。次に印刷ヘッド４１をワイプ部９２に移動させ、印刷ヘッド４１のノズル面４１１をワイプ部材９２１でワイプする（ステップＳ２３）。さらにプロセッサ３１は、再び印刷ヘッド４１をスピット部９１に移動させ、ノズルから１０００発の吐出動作を行わせる（ステップＳ２４）。その後、印刷ヘッド４１を所定の印刷開始位置に移動させ、印刷処理が行われる（ステップＳ２５）。印刷が終了すると、再び印刷ヘッド４１をスピット部９１に移動させ、ノズルから３００発の吐出動作を行わせた上で（ステップＳ２６）、キャップ機構に移動させて、印刷ヘッド４１のノズル面をキャッピングする（ステップＳ２６）。これにより、印刷からクリーニング処理までの一連の処理が終了する。
シーケンスＡのように、スピット処理を繰り返ししっかりと行うことで、印刷ヘッド４１が爪Ｔに当たってインクがインク吐出面４１１に付着してしまった場合等でもインク吐出面４１１及び各ノズルを、印刷を行うのに適した状態に回復させることができる。
【００７９】
他方シーケンスＢの場合には、図１０（Ｂ）に示すように、印刷を開始するように端末装置７の操作部７１等から指示が入力されると（ステップＳ３１）、プロセッサ３１は、まず印刷ヘッド４１をスピット部９１に移動させ、ノズルから３００発の吐出動作を行わせる（ステップＳ３２）。その後、印刷ヘッド４１を所定の印刷開始位置に移動させ、印刷処理が行われる（ステップＳ３３）。印刷が終了すると、再び印刷ヘッド４１をスピット部９１に移動させ、ノズルから３００発の吐出動作を行わせた上で（ステップＳ３４）、キャップ機構に移動させて、印刷ヘッド４１のノズル面をキャッピングする（ステップＳ３５）。これにより、印刷からクリーニング処理までの一連の処理が終了する。
シーケンスＢのように、スピット処理を印刷の前後に１回ずつ行うのみで、印刷処理を行うことで、インク吐出面４１１及び各ノズルを、印刷を行うのに適した状態に回復させるとともに迅速に印刷処理を行うことができる。
【００８０】
クリーニング処理を丁寧に行う方が確実にインク吐出面４１１をクリーニングすることができる。しかしその一方で、クリーニング処理に時間を要し、またスピット処理を多く行うとその分印刷外においてインクを多く消費してしまう。
このため、印刷ヘッド４１による印刷動作が設定された条件を満たさないと判断されたが、すぐに印刷ヘッド４１が停止し、あまりインク汚れ等が生じていないと判断される場合にはシーケンスＢによるクリーニング処理を選択し、印刷動作が進んで爪全面にインクが多く付着している状態の爪Ｔに印刷ヘッド４１が衝突した場合や印刷ヘッド４１が停止した後暫く放置されていた場合等、インク汚れの程度がひどいかインクが固着してしまっている可能性があると判断される場合にはシーケンスＡによる丁寧なクリーニング処理を選択するといったように、プロセッサ３１がエラーのレベル（印刷ヘッド４１の状態）に応じてクリーニング処理の種類を選択するようにすることが好ましい。
このように、シーケンスＡによるクリーニングを行うかシーケンスＢによるクリーニングを行うかの判断は、印刷ヘッド４１による印刷動作が設定された条件を満たさないと判断された時点から印刷ヘッド４１が停止するまでに掛かった時間が予め設定しておいた閾値を超えたかどうかで判断する又は印刷ヘッド４１による印刷動作が設定された条件を満たさないと判断された時点から印刷ヘッド４１が停止するまでに掛かった距離が予め設定された閾値を超えたかどうかで判断してもよい。
【００８１】
なお、プロセッサ３１が選択可能なクリーニング処理の種類はここに例示した２種類に限定されない。クリーニング処理の種類は１種類でもよいし、３種類以上用意されていてもよい。
例えばシーケンスＡのステップＳ２２，ステップＳ２４，ステップＳ２６におけるスピット処理のインク吐出回数をさらに増加させて、シーケンスＡよりもさらに丁寧なクリーニングを行ったり、逆にステップＳ２２，ステップＳ２４，ステップＳ２６におけるスピット処理のインク吐出回数を減らしたシーケンスＡとシーケンスＢとの中間レベルとなるクリーニング処理を用意して、状況に応じて選択可能としてもよい。
また、ワイプ処理におけるワイプ動作の回数を調整することで、さらに複数段階の種類のクリーニング処理を選択可能としてもよい。
【００８２】
クリーニング処理が終了すると、プロセッサ３１はさらに爪Ｔに対する印刷処理を行うか否かを判断し（ステップＳ１１）、印刷処理を行うと判断される場合（ステップＳ１１；ＹＥＳ）には、ステップＳ１に戻って処理を繰り返し、印刷処理を行わないと判断される場合（ステップＳ１１；ＮＯ）には処理を終了する。
なおこの場合における「印刷処理を行うと判断される場合」には、エラーとなって印刷が中止された爪Ｔに対する再印刷を行う場合と、異なる指の爪Ｔに対する印刷を行う場合とが含まれる。エラーとなって印刷が中止された爪Ｔに対する再印刷の場合、印刷する画像に変更がない場合には、ステップＳ１を省略しステップＳ２から再開してもよい。
【００８３】
以上のように、本実施形態によれば、印刷ヘッド４１による爪Ｔに対する印刷が開始された後、プロセッサ３１が、印刷ヘッド４１による印刷動作が設定された条件を満たしているか否かを判断して、設定された条件を満たしていると判断する場合には通常の処理を続行させ、設定された条件を満たさないと判断する場合にはエラー対応処理として駆動モータを停止させる。
このため、爪Ｔに対する印刷中に何らかのエラーが発生した場合には、速やかに印刷ヘッドを停止させて対応することができ、爪Ｔに対する印刷動作を安全に行うことができる。
また、印刷がエラーになった場合には、一旦爪Ｔに塗布されたインクを落として印刷をやり直すことが必要となるが、本実施形態では印刷ヘッドが停止するため、安全に指を装置外に取り出すことができ、爪Ｔに塗布されたインクの除去等、印刷のやり直しに向けた作業も迅速・円滑に行うことができる。
【００８４】
また、本実施形態では、印刷ヘッド４１の位置を検出する位置検出部としてのエンコーダ４０１を備えている。
このため、簡易な構成で印刷ヘッド４１が正常に動作しているか否かを知ることができる。
【００８５】
そして、エンコーダ４０１が検出した印刷ヘッド４１の位置が所定時間内で変化がない場合には、印刷制御部３１４としてのプロセッサ３１は、「印刷ヘッド４１による印刷動作が設定された条件を満たさない」状態にあると判断し、印刷ヘッド４１を停止させるようになっている。
このため、簡易な構成で印刷ヘッド４１が印刷指Ｕ１や爪Ｔと衝突した等により動けない状態となっていることを検知することができる。
【００８６】
また、本実施形態のネイルプリント装置１は、印刷ヘッド４１のインク吐出面４１１をクリーニングするクリーニング部９をさらに備え、プロセッサ３１は、印刷ヘッド４１による印刷動作が設定された条件を満たさないと判断する場合に、エラー対応処理として駆動モータを停止させた後さらにクリーニング部９による印刷ヘッド４１のクリーニング処理を行わせる。
このため、何らかのエラーによりインク吐出面４１１が汚れてしまった場合にも、クリーニングにより印刷に適した状態に回復させることができる。
【００８７】
また、本実施形態では、クリーニング処理として、程度の異なる複数種類が用意されており、プロセッサ３１は、印刷ヘッド４１による印刷動作が設定された条件を満たさないと判断したレベルに応じてクリーニング処理の種類を選択する。
このため、エラーの程度等に応じて、必要に応じた適切なクリーニング処理を行うことができる。
【００８８】
また、本実施形態では、クリーニング部９は、スピット処理を行うスピット部９１と、前記インク吐出面をワイプするワイプ処理を行うワイプ部９２とを含んでおり、クリーニング処理は、スピット処理、ワイプ処理又はこれらの組合せである。
このため、スピット処理によりノズルの目詰まり等を解消したりワイプ処理によってインク吐出面４１１に付着したインクを拭き取る等、印刷ヘッド４１やインク吐出面４１１の汚れの程度等に応じて、適切なクリーニング処理を行うことができる。
【００８９】
また、本実施形態では、爪表面の上方を移動しながら爪表面に印刷を行う移動体である印刷ヘッド４１を駆動させる駆動モータとしてのＸ方向移動モータ４６、Ｙ方向移動モータ４８が、印刷ヘッド４１の移動速度を複数段階に切り替え可能に構成されており、少なくとも爪表面の上方を最初に移動させる際には、印刷制御部３１４が、駆動モータが切り替え可能な移動速度の内、第１移動速度で印刷ヘッド４１を移動させるように駆動モータを制御するようになっている。
そして、第１移動速度で移動させた後、印刷ヘッド４１による印刷動作が設定された条件を満たしていると判断する場合に、第１移動速度よりも早い第２移動速度で印刷ヘッド４１を移動させるようになっている。
このため、印刷指Ｕ１や爪Ｔの載置の仕方が不適切で印刷ヘッド４１と干渉（衝突）してしまうような場合でも、印刷指Ｕ１や爪Ｔが受ける衝撃が最低限で済み、また、印刷ヘッド４１等の装置各部が衝撃で破損・故障するのも防ぐことができる。
これにより、安全にネイルプリントを行うことができる。
また、第１移動速度で印刷ヘッド４１を移動させ異常が検出されなかったとき、その後は一定速度の第２移動速度で印刷ヘッド４１を移動させるように制御している。
このため、一旦安全が確認された後は迅速に印刷動作を行うことができ、迅速かつ安全にネイルプリントを行うことができる。
【００９０】
また、本実施形態では、印刷ヘッド４１は、爪表面の上方を最初に移動する際にも爪表面への印刷動作（すなわち、インク吐出）を行うようになっている。
このため、爪表面の上方を最初に移動する際には、印刷指Ｕ１や爪Ｔと印刷ヘッド４１との干渉チェックと印刷動作とを兼ねることができ、無駄な時間を省いて、迅速かつ安全にネイルプリントを行うことができる。
【００９１】
また、本実施形態では、印刷ヘッド４１は、複数回走査することによって爪表面に印刷を行うものであり、印刷制御部３１４は、このうち１回目の走査の際に、第１移動速度で印刷ヘッド４１を移動させるように駆動モータを制御するようになっている。
このため、複数回の走査でネイルプリントを完成させる場合にも、無駄な時間を省いて、迅速かつ安全にネイルプリントを行うことができる。
【００９２】
また、本実施形態では、各部の動作状態をユーザに報知する報知手段として、ネイルプリント装置１側に報知用ランプ１３を備え、端末装置７側には警告表示等を行うことのできる表示部７２を備え、位置検出部であるエンコーダ４０１が検出した印刷ヘッド４１の位置が所定時間内で変化がない場合に、その旨をユーザに報知するようになっている。
このため、ユーザはネイルプリントができない状況やその原因を知ることができ、適切に対応することができる。
【００９３】
なお、以上本発明の実施形態について説明したが、本発明は、かかる実施形態に限定されず、その要旨を逸脱しない範囲で、種々変形が可能であることは言うまでもない。
【００９４】
例えば、本実施形態では、図８（ａ）から図８（ｃ）に示すように、複数回の走査で爪表面に印刷を行う場合に、最初の１走査目のみを第１移動速度で行い、その後の２走査目以降は一定速度の第２移動速度で行うものとしたが、印刷ヘッド４１の走査速度の制御はこれに限定されない。
印刷ヘッド４１の走査は、最初の１走査目のみを第１移動速度で行い、その後の第２移動速度は、印刷ヘッド４１の速度が徐々に速くなるようにすればよく、例えば、１走査目よりも２走査目、２走査目よりも３走査目の方が印刷ヘッド４１の速度が速くなるように段階的に移動速度を切り替えるように印刷制御部３１４が駆動モータを制御してもよい。
また、１つの走査の中でも徐々に印刷ヘッド４１の速度が上がるようにしてもよい。
このようにすることで、一旦印刷指Ｕ１や爪Ｔと印刷ヘッド４１との干渉がないと判断された後はできるだけ速い速度で印刷を行い、迅速にネイルプリントを仕上げることが可能となる。
【００９５】
また、本実施形態で示した印刷ヘッド４１の走査の際の移動速度（駆動速度）を複数段階に制御することは必須ではない。
すなわち、上記実施形態ではプロセッサ３１は、印刷ヘッド４１を少なくとも爪表面の上方を最初に移動させる際、第１移動速度で印刷ヘッド４１を移動するよう駆動モータを制御した後、設定された条件を満たしていると判断した場合に、印刷ヘッド４１を第１移動速度より速い第２移動速度で移動するように駆動モータを制御する場合を例示した。
ただし本発明では、ここで例示したような複数段階の速度制御を行うことは必須の要素ではない。
例えば、最初の１走査目から印刷終了まで通常の印刷速度に相当する第２移動速度で印刷ヘッド４１を移動させてもよい。
この場合には、ネイルプリントをより迅速に完了させることできる。
【００９６】
また本実施形態では、「印刷ヘッド４１による印刷動作が設定された条件を満たさない」状態となったときには、印刷指Ｕ１が装置外に取り出されるまで印刷ヘッド４１を停止させたままとする例を示したが、印刷ヘッド４１の動作制御はこれに限定されない。
例えば、プロセッサ３１がエンコーダ４０１からの情報に基づいて印刷ヘッド４１の位置を判断し、印刷指Ｕ１から遠ざかる方向（例えば印刷ヘッド４１がＸ方向における印刷指Ｕ１の右側に位置していると判断される場合（例えば図８（ｂ）に示す状態）には、右方向）に印刷ヘッド４１を移動させてクリーニング部９やキャップ機構６等に印刷ヘッド４１を移動させるようにしてもよい。
この場合には、印刷指Ｕ１が装置外に取り出されたことを判断しなくても印刷ヘッド４１を現状から迅速に移動させクリーニング処理等を行うことができる。
【００９７】
また、既に印刷ヘッド４１が爪Ｔの上に乗り上げてしまっている場合には、プロセッサ３１は、印刷ヘッド４１が爪幅方向（図８（ａ）〜図８（ｃ）等においてＸ方向）の中心位置よりも右側にあるか左側にあるかによって爪Ｔの上を移動する距離がより短い方に印刷ヘッド４１を移動させるように制御してもよい。
例えば、Ｘ方向を右から左に向かって印刷ヘッド４１が移動する場合に、印刷ヘッド４１が爪幅方向の中心位置に達する前に停止（すなわち、中心位置よりも右側で停止）した場合には、印刷ヘッド４１を右側に戻すように移動させて爪Ｔの上から離脱させる。また、同様にＸ方向を右から左に向かって印刷ヘッド４１が移動する場合に、印刷ヘッド４１が爪幅方向の中心位置を越えて停止（すなわち、中心位置よりも左側で停止）した場合には、そのまま印刷ヘッド４１を左側に移動させて爪Ｔの上から離脱させる。
【００９８】
印刷ヘッド４１が爪Ｔの上に乗り上げている状態のままでは印刷指Ｕ１を抜き取ろうとしても困難である場合もある。また、印刷ヘッド４１のインク吐出面４１１と爪Ｔとが接触している状態のまま無理に印刷指Ｕ１を引き抜こうとすると、爪Ｔを痛めるおそれがある。さらに、印刷ヘッド４１側としてもインク吐出面４１１が傷つくおそれがあり、印刷ヘッド４１と印刷指Ｕ１や爪Ｔとが当たっている（干渉している）状態をできるだけ早く解消することが好ましい。
この場合、両者のダメージを最小限に抑えられるように、印刷ヘッド４１と爪Ｔとの位置関係等に基づいて、プロセッサ３１が、印刷ヘッド４１の移動方向（離脱方向）を決定することが好ましい。
【００９９】
また本実施形態では、印刷ヘッド４１の位置を検出する位置検出部としてのみならず、印刷ヘッド４１の移動速度を検出する速度検出部としても機能するエンコーダ４０１を備えている。そこで、プロセッサ３１は、エンコーダ４０１の検出結果に基づいて印刷ヘッド４１の速度が所定閾値以下となったことをもって、印刷ヘッド４１による印刷動作が設定された条件を満たさないと判断してもよい。
すなわち、本実施形態では、印刷ヘッド４１の位置が所定時間内で変化がない場合に、「印刷ヘッド４１による印刷動作が設定された条件を満たさない」状態にあるとして印刷ヘッド４１を停止させる場合を例示したが、「印刷ヘッド４１による印刷動作が設定された条件を満たさない」状態にあるか否かの判断はこれに限定されない。
印刷ヘッド４１の速度が所定の閾値以下になった場合には、「印刷ヘッド４１による印刷動作が設定された条件を満たさない」状態となったものとして、印刷制御部３１４が印刷ヘッド４１を停止させるように駆動モータを制御する等のエラー対応処理を行うとしてもよい。
【０１００】
図１１は、印刷ヘッドを駆動させたときの速度特性を示すグラフである。
図１１では、座標７００以降の領域が印刷領域ＰＡとされ、印刷ヘッド４１の目標とされる駆動速度が７ｉｐｓ（inch／second）であり、座標６００から印刷ヘッド４１の駆動（印刷動作のための移動）が開始された場合を例示している。
図１１に示す例では、印刷ヘッド４１の駆動速度は、印刷領域ＰＡである座標７００以降の領域では目標速度である７ｉｐｓ（inch／second）の速度で安定している。
なお、図１１に示すグラフ上、座標７００以降の領域でも速度特性が約1ｉｐｓの振幅で細かく上下動しているが、この速度変動幅αは、駆動モータ（ブラシ付きＤＣモータ）の有する特性によって生じるものであり、正常に動作しても生じてしまう誤差の範囲内の速度変化である。
印刷ヘッド４１が印刷指Ｕ１や爪Ｔと接触すると、例えば図１１において点線で示すように印刷ヘッド４１の駆動速度が急激に低下する。このため、例えば、上述の誤差範囲である速度変動幅αを加味しても明らかに何らかの異常が発生したものと判断できる速度に閾値を設け、この閾値を下回ったと判断した時点（例えば図１１においてβで示す点）で印刷ヘッド４１が印刷指Ｕ１や爪Ｔと接触する等のエラーが発生したものと判断することが好ましい。
【０１０１】
この場合の閾値をどの程度に設定するかは適宜定められるが、例えば図１１に示す例では目標速度の６０％に閾値を設けている。
また、図１１に示す例では、目標速度を７ｉｐｓ（inch／second）とし、閾値もこれを基準に設定する例を示しているが、目標速度は印刷モード等に応じた適切な速度として設定される印刷ヘッド４１の移動速度であり、７ｉｐｓ（inch／second）に限定されない。
すなわち、前述のように、印刷制御部３１４は、ユーザの操作等により設定されたモード等に応じた適切な速度で印刷ヘッド４１を移動させるようになっている。このため、例えば高精細に印刷を行うモードが設定されている場合であれば目標速度も比較的低速となり、迅速に印刷するモードが設定されている場合であれば目標速度は高精細なモードにおいて設定される速度よりも速い速度となる。
【０１０２】
このように、印刷指Ｕ１や爪Ｔと印刷ヘッド４１との干渉の有無を印刷ヘッド４１の駆動速度の変化で判断する場合には、移動体である印刷ヘッド４１が印刷指Ｕ１や爪Ｔに突き当たって動かなくなるほどではないが、印刷ヘッド４１のインク吐出面１１等が爪表面に接触しながら移動している場合等でも適切に異常の発生を検知することができる。
印刷ヘッド４１がわずかに爪Ｔに接触した程度であっても、爪表面が汚れ、美しい仕上がりのネイルプリントとならない。このような場合にも印刷ヘッド４１を停止させることができ、インクを無駄に吐出することを防ぐことができるとともに、ネイルプリントのやり直し等の対応を早期に行うことができる。
【０１０３】
なお、スリット板４０１ａに極細かい幅でスリットを形成し、エンコーダ４０１でこれを読み取ることによって、印刷ヘッド４１が印刷指Ｕ１や爪Ｔをわずかにかすった程度の変化でも検出できるように構成してもよい。
この場合にも早期にエラーの発生を検出し適切な対応（駆動モータを停止させる等のエラー対応処理）を行うことができる。
【０１０４】
また、本実施形態では、印刷指Ｕ１や爪Ｔと印刷ヘッド４１との干渉がないか否かを、エンコーダ４０１が検出する印刷ヘッド４１の位置の変化で判断する場合を例示したが、印刷指Ｕ１や爪Ｔと印刷ヘッド４１との干渉の有無の判断は、エンコーダ４０１の検出結果によるものに限定されない。
例えば、プロセッサ３１が、駆動モータのトルクを参照することによって「印刷ヘッド４１による印刷動作が設定された条件を満たさない」状態となったか否かを判断してもよい。
すなわち、印刷ヘッド４１の駆動速度を一定に維持しようとする場合、駆動モータにはある一定のトルクがかかっている。しかし、印刷ヘッド４１が印刷指Ｕ１や爪Ｔと干渉すると、同じトルクでは印刷ヘッド４１の駆動速度を維持することができなくなり、駆動モータのトルクが変化する。
したがって、トルクの変化を見ることによってもエラーの発生を検知することができる。
【０１０５】
また例えば、図１２に示すように、ネイルプリント装置１の撮影部５０を爪Ｔの上に配置させて爪Ｔの表面（爪表面）の画像を取得させ、取得された画像に異常がある場合には、「印刷ヘッド４１による印刷動作が設定された条件を満たさない」状態となったものとして、印刷制御部３１４が印刷ヘッド４１を停止させるように駆動モータを制御する等のエラー対応処理を行うとしてもよい。
【０１０６】
通常、爪Ｔにネイルプリントを行う場合には、発色をよくする等のために事前に爪表面に白色等の下地を塗ることが行われる。
この場合、印刷ヘッド４１が移動前であり印刷開始位置にあるときには、図１３（ａ）に示すように、全面白色であったものが、印刷ヘッド４１が爪表面の上方を移動した後に、図１３（ｂ）に示すように汚れている場合には、印刷ヘッド４１（印刷ヘッド４１のインク吐出面等）が爪表面と接触したものと判断することができる。
そこで、撮影部５０によって取得された画像にこのような異常がある場合には、「印刷ヘッド４１による印刷動作が設定された条件を満たさない」状態となったものとして、印刷制御部３１４としてのプロセッサ３１は、印刷ヘッド４１を停止させる等のエラー対応処理を行う。
また、この場合にも、報知用ランプ１３の点灯、端末装置７の表示部７２への表示等を行って、当該異常の発生をユーザに報知することが好ましい。
【０１０７】
なお、印刷ヘッド４１が印刷開始位置にあるときの画像（例えば、図１３（ａ）に示す画像）と、印刷ヘッド４１が爪表面の上方を移動した後の画像との間に変化がある場合でも、それが印刷予定の絵柄が１走査分描かれて１走査分の領域が印刷終了領域Ａｆとなった画像（例えば、図１３（ｃ）に示すような画像）である場合には、印刷制御部３１４は、異常と判断せず、そのまま印刷動作を続けさせる。
印刷ヘッド４１が爪表面の上方を移動した後の画像にどのような変化がある場合に異常と判断するかは、例えば印刷制御部３１４が印刷用データと撮影画像とを比較することで行われる。
【０１０８】
さらに、撮影部５０によって取得された画像から印刷ヘッド４１の位置を取得し、印刷ヘッド４１の位置が変化していない場合や正常な印刷動作をしていないと判断される場合に「印刷ヘッド４１による印刷動作が設定された条件を満たさない」状態となったものとして、印刷制御部３１４としてのプロセッサ３１が、印刷ヘッド４１を停止させる等のエラー対応処理を行うとしてもよい。
【０１０９】
このように、印刷指Ｕ１や爪Ｔと印刷ヘッド４１との干渉の有無を画像で判断する場合には、移動体である印刷ヘッド４１が印刷指Ｕ１や爪Ｔに突き当たって動かなくなるほどではないが、爪表面に印刷ヘッド４１の一部が擦れる等により爪表面を汚してしまい、美しい仕上がりのネイルプリントとならないような場合にも、印刷ヘッド４１を停止させることができ、ネイルプリントのやり直し等の対応を早期に行うことができる。
このため、エンコーダ４０１による印刷ヘッド４１の位置検出のみでは対応が難しい場面にも対応することが可能となる。
【０１１０】
なお、上述のように、印刷ヘッド４１の駆動速度の変化を見てエラーの発生を判断する場合や、駆動モータのトルクの変化を見てエラーの発生を判断する場合等、印刷ヘッド４１の位置の変化（すなわち印刷ヘッド４１が停止したか否か）以外によって「印刷ヘッド４１による印刷動作が設定された条件を満たさない」状態となったか否かを判断する場合には、変化が微細であり、それのみではエラーが発生したか否かを正確に判断することが難しい場合もあり得る。
そこで、これらの手法を用いる場合には、判断の正確性を担保するために、撮影部５０によって画像を取得しこれを解析する手法も併せて用いることが好ましい。
【０１１１】
また、本実施形態では、「印刷ヘッド４１による印刷動作が設定された条件を満たさない」状態となった場合のエラー対応処理として、印刷ヘッド４１（これを駆動させる駆動モータ）を停止させ、クリーニング処理を行う場合を例示したが、エラー対応処理はこれに限定されない。
例えば、エラー対応処理として印刷ヘッド４１（これを駆動させる駆動モータ）を停止させるのみとしてもよい。エラーの程度によってはインク吐出面４１１等のクリーニングでは対応できない場合も考えられる。なお、このような場合には、印刷ヘッド４１を交換するようユーザに促す表示を行う等の対応を行ってもよい。
【０１１２】
また、本実施形態では、最初の１走査目のみを第１移動速度で行う場合を例示したが、これに限定されない。
例えば、ネイルプリント装置に印刷指Ｕ１及び爪Ｔを側爪郭側から撮影可能な撮影部を備えて、印刷指Ｕ１を指載置部２に載置した際に、爪Ｔ（爪Ｔの表面）と移動体である印刷ヘッド４１とが所定値以上近接する範囲を検出し、その範囲の上方を走査する際にも第１移動速度となるように印刷制御部３１４が駆動モータを制御してもよい。
これにより、図１等におけるＹ方向での爪の湾曲が強いユーザにおいても、印刷ヘッド４１の印刷指Ｕ１や爪Ｔへの衝突の衝撃を和らげることができる。
【０１１３】
また、本実施形態では、印刷指Ｕ１や爪Ｔと干渉する移動体が印刷ヘッド４１である場合を例示したが、移動体は印刷ヘッド４１に限定されない。例えば、印刷ヘッド４１を保持するキャリッジであってもよく、キャリッジが印刷指Ｕ１や爪Ｔと干渉することでエンコーダ４０１等が異常を検知した場合にも、印刷制御部３１４は、印刷ヘッド４１（及びキャリッジ）の移動を停止させるように駆動モータを制御する。
また、印刷ヘッド４１やキャリッジ等が印刷指Ｕ１や爪Ｔと干渉する前に、印刷指Ｕ１や爪Ｔに突き当たるような緩衝部材が印刷ヘッド４１やキャリッジ等に取り付けられていてもよい。この場合には緩衝部材も移動体に含まれるものとする。
この場合、緩衝部材をウレタン樹脂等の柔らかい材料で形成すれば、印刷指Ｕ１や爪Ｔへの衝撃をより一層和らげることができるとともに、印刷ヘッド４１等の破損もより確実に防ぐことができる。
【０１１４】
また、本実施形態では、クリーニング部９としてスピット部９１とワイプ部９２とを有する場合を例示したが、クリーニング部９の種類はこれに限定されない。これらの代わりに、又はこれらと併せて、他のクリーニング部を設けてもよい。
他のクリーニング部としては、例えば、フェルト等の高吸収性の材料で形成された吸収部材をインク吐出面４１１に押し当ててインク吐出面４１１に付着したインク等を吸収・吸着させて除去するもの等を設けてもよい。
複数種類のクリーニング部９を備える場合、いかなる種類のクリーニングをどの程度行うかの組み合わせは、エラーの程度や状況に応じてプロセッサ３１が適宜判断することが好ましい。
【０１１５】
また、本実施形態では、ネイルプリント装置１側の報知手段として報知用ランプ１３が設けられている場合を例示したが、報知手段はこれに限定されない。
例えば、ネイルプリント装置１に警告メッセージ等を表示可能な表示部を備えて、これを報知手段として機能させてもよい。また、ネイルプリント装置１に報知手段としてスピーカ等の音声出力手段を設けて、音声やブザー等によりユーザに報知するようにしてもよい。
【０１１６】
本実施形態では、印刷開始指示の入力や、印刷用データの生成等を端末装置７側で行う場合を例としたが、各種指示の入力部や印刷用データを生成する印刷データ生成部等をネイルプリント装置１側に設けて、ネイルプリント装置１の制御装置３０がこれらの処理を行うようにしてもよい。
また、本実施形態では、ネイルプリント装置１が端末装置７と連携して印刷システムを構成し、爪に印刷を行う場合を例示したが、ネイルプリント装置１はここに示すようなものに限定されず、単体で印刷動作が完結するように構成されたものであってもよい。
【０１１７】
また、本実施形態では、ネイルデザインの画像データを格納するネイルデザイン記憶領域８２２が端末装置７の記憶部８２に設けられている場合を例示したが、ネイルデザインの画像データは端末装置７の記憶部８２に保存されている場合に限定されず、ネイルプリント装置１の記憶部３２に保存されていてもよい。
また、ネットワーク回線等を介して接続可能なサーバ装置等にネイルデザインの画像データを記憶させておき、サーバ装置等にアクセスしてネイルデザインの画像データを参照可能に構成してもよい。
このようにすることで、より多くのネイルデザインの中から印刷するデザインを選択することが可能となる。
【０１１８】
また、本実施形態では、ネイルプリント装置１の印刷ヘッド４１として、インクジェット方式の印刷ヘッド４１を備える構成としたが、印刷ヘッド４１の構成はこれに限定されない。
【０１１９】
また、ネイルプリント装置１に、印刷後にインクを乾燥させるためのヒータやファンを備える乾燥部が設けられていてもよい。
【０１２０】
以上本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
爪表面に印刷を行う印刷ヘッドと、
各部を制御するプロセッサと、
を備え、
前記プロセッサは、前記印刷ヘッドによる印刷動作が設定された条件を満たしているか否かを判断し、前記印刷ヘッドによる印刷動作が前記設定された条件を満たしていると判断する場合には前記印刷動作を続行させ、前記印刷ヘッドによる印刷動作が前記設定された条件を満たさないと判断する場合には前記印刷ヘッドが前記爪と干渉したことによるエラー状態が生じたものと判断し前記印刷動作とは異なるエラー対応処理を行わせるネイルプリント装置。
＜請求項２＞
前記印刷ヘッドの移動速度を検出する速度検出部をさらに備え、
前記プロセッサは、前記速度検出部が検出した前記印刷ヘッドの速度が設定された閾値以下となったことをもって、前記印刷ヘッドによる印刷動作が前記設定された条件を満たさないと判断する請求項１に記載のネイルプリント装置。
＜請求項３＞
前記印刷ヘッドの位置を検出する位置検出部をさらに備え、
前記プロセッサは、前記位置検出部が検出した前記印刷ヘッドの位置が所定時間内で変化がないことをもって、前記印刷ヘッドによる印刷動作が前記設定された条件を満たさないと判断する請求項１に記載のネイルプリント装置。
＜請求項４＞
前記爪表面を撮影して前記爪表面の画像を取得する撮像装置をさらに備え、
前記プロセッサは、前記撮像装置により取得された画像に異常があることもって、前記印刷ヘッドによる印刷動作が前記設定された条件を満たさないと判断する請求項１から請求項３のいずれか一項に記載のネイルプリント装置。
＜請求項５＞
前記印刷ヘッドを移動させる駆動モータをさらに備え、
前記プロセッサは、前記印刷ヘッドを少なくとも前記爪表面の上方を最初に移動させる際、第１移動速度で前記印刷ヘッドを移動するよう前記駆動モータを制御した後、前記設定された条件を満たしていると判断した場合、前記印刷ヘッドを前記第１移動速度より速い第２移動速度で移動するように前記駆動モータを制御する請求項１から請求項４のいずれか一項に記載のネイルプリント装置。
＜請求項６＞
前記印刷ヘッドは、複数回走査することによって前記爪表面に印刷を行うものであり、
前記プロセッサは、少なくとも１回目の走査の際に、前記第１移動速度で前記印刷ヘッドを移動させるように前記駆動モータを制御する請求項５に記載のネイルプリント装置。
＜請求項７＞
前記印刷ヘッドが複数回走査することによって前記爪表面に印刷を行う場合に、前記プロセッサは、前記印刷ヘッドの前記第２移動速度が徐々に速くなるように前記駆動モータを制御する請求項５に記載のネイルプリント装置。
＜請求項８＞
前記印刷ヘッドが複数回走査することによって前記爪表面に印刷を行う場合に、前記プロセッサは、前記印刷ヘッドの前記第２移動速度を一定速度になるように前記駆動モータを制御する請求項５に記載のネイルプリント装置。
＜請求項９＞
前記プロセッサは、前記爪表面と前記印刷ヘッドとが所定値以上近接する範囲を走査する際に、前記第１移動速度で前記印刷ヘッドを移動させるように前記駆動モータを制御する請求項５から請求項８のいずれか一項に記載のネイルプリント装置。
＜請求項１０＞
前記印刷ヘッドのインク吐出面をクリーニングするクリーニング部をさらに備え、
前記プロセッサは、前記印刷ヘッドによる印刷動作が前記設定された条件を満たさないと判断する場合に、前記エラー対応処理として前記クリーニング部による前記印刷ヘッドのクリーニング処理を行わせる請求項１から請求項９のいずれか一項に記載のネイルプリント装置。
＜請求項１１＞
前記クリーニング処理として、程度の異なる複数種類が用意されており、
前記プロセッサは、前記印刷ヘッドによる印刷動作が前記設定された条件を満たさないと判断したときの前記印刷ヘッドの状態に応じて前記クリーニング処理の種類を選択する請求項１０に記載のネイルプリント装置。
＜請求項１２＞
前記クリーニング部は、スピット処理を行うスピット部と、前記インク吐出面をワイプするワイプ処理を行うワイプ部とを含んでおり、
前記クリーニング処理は、前記スピット処理、前記ワイプ処理又はこれらの組合せである請求項１０又は請求項１１に記載のネイルプリント装置。
＜請求項１３＞
ネイルプリント装置のネイルプリント方法であり、
前記ネイルプリント装置は、爪表面に印刷を行う印刷ヘッドを備え、
前記印刷ヘッドによる印刷動作が設定された条件を満たしているか否かを判断する判断工程と、
前記判断工程において前記印刷ヘッドによる印刷動作が前記設定された条件を満たしていると判断する場合には前記印刷動作を続行させ、前記印刷ヘッドによる印刷動作が前記設定された条件を満たさないと判断する場合には前記印刷ヘッドが前記爪と干渉したことによるエラー状態が生じたものと判断し前記印刷動作とは異なるエラー対応処理を行わせる処理選択工程と、
を含んでいるネイルプリント方法。
＜請求項１４＞
爪表面に印刷を行う印刷ヘッドを備えるネイルプリント装置のコンピュータに、
前記印刷ヘッドによる印刷動作が設定された条件を満たしているか否かを判断する判断機能と、
前記判断機能によって前記印刷ヘッドによる印刷動作が前記設定された条件を満たしていると判断する場合には前記印刷動作を続行させ、前記印刷ヘッドによる印刷動作が前記設定された条件を満たさないと判断する場合には前記印刷ヘッドが前記爪と干渉したことによるエラー状態が生じたものと判断し前記印刷動作とは異なるエラー対応処理を行わせる処理選択機能と、
を実現させるプログラム。
【符号の説明】
【０１２１】
１        ネイルプリント装置
７        端末装置
１３      報知用ランプ
４０      印刷部
４１      印刷ヘッド
３１      プロセッサ
３２      記憶部
３１３    爪情報検出部
３１４    印刷制御部
４０１    エンコーダ
Ｔ        爪
Ｕ１      印刷指
【図１】
2020058780.tif 000003
【図２】
2020058780.tif 000004
【図３】
2020058780.tif 000005
【図４】
2020058780.tif 000006
【図５】
2020058780.tif 000007
【図６】
2020058780.tif 000008
【図７】
2020058780.tif 000009
【図８】
2020058780.tif 000010
【図９】
2020058780.tif 000011
【図１０】
2020058780.tif 000012
【図１１】
2020058780.tif 000013
【図１２】
2020058780.tif 000014
【図１３】
2020058780.tif 000015